(57)【要約】      （修正有）【課題】円筒錠ラッチの測定治具に係り、顧客等からの錠前購入依頼や錠前交換依頼に於て、ラッチ部品から円筒錠を素早く確実に特定することのできる円筒錠ラッチの測定治具を提供する。【解決手段】板材の表面上に置いた円筒錠のラッチ部品のフロント板の一側部が挿入可能な切り込みを該板材に形成し、該切り込みを共通のフロント板として、複数種のラッチ部品の外形形状を板材の表面に表示すると共に、表示した各ラッチ部品の外形形状毎に、各ラッチ部品を装着する円筒錠のバックセットを表示したことを特徴とする。【選択図】図１
0003143178.tif 000002
【実用新案登録請求の範囲】
【請求項１】
板材の表面上に置いた円筒錠のラッチ部品のフロント板の一側部が挿入可能な切り込みを該板材に形成し、該切り込みを共通のフロント板として、複数種のラッチ部品の外形形状を板材の表面に表示すると共に、表示した各ラッチ部品の外形形状毎に、各ラッチ部品を装着する円筒錠のバックセットを表示したことを特徴とする円筒錠ラッチの測定治具。
【請求項２】
前記板材の表面に、トリガーボルトを有するラッチ部品のフロント板の正面デザインと、トリガーボルトを有しないラッチ部品のフロント板の正面デザインを並列表示したことを特徴とする請求項１に記載の円筒錠ラッチの測定治具。
【考案の詳細な説明】
【技術分野】
【０００１】
本考案は、ラッチ部品から円筒錠を特定することができる円筒錠ラッチの測定治具に関する。
【背景技術】
【０００２】
一般に、ＤＩＹで円筒錠を交換したいという一般ユーザーや顧客からは、ドアから取り外した円筒錠を持ち込んで同じ円筒錠を求めたり、ラッチと呼ばれる閂部品を持ち込んで、このラッチ部品から円筒錠を特定して交換して欲しい等の依頼が多い。
【０００３】
ところで、非特許文献１に開示されるように円筒錠を交換するには、交換する円筒錠のバックセットを測り、同じサイズのものを選ぶ必要がある。ここでいうバックセットとは、扉の先端、正確には円筒錠のフロント板表面から円筒錠（握り玉）の中心線までの寸法をいい、住宅用では主に５０，６０，６４，７０（ｍｍ）等が広く使用されており、それ以外にも多くの種類がある。
【０００４】
そして、このように持ち込まれた円筒錠一式やラッチ部品からバックセットを測って錠前を特定する場合、従来は定規やメジャー等を用いて測定しているのが実情であった。
【非特許文献１】ホームセンター  セキチュー（ドアの錠前の交換）                    http://www.sekichu.co.jp/diy/004.html                    検索日  平成２０年４月１６日
【考案の開示】
【考案が解決しようとする課題】
【０００５】
しかし、既述したようにバックセットには５０（ｍｍ）や６０（ｍｍ），６４（ｍｍ）といった近似した種類があるため、持ち込まれた円筒錠に定規やメジャーをあてがっての測定は時間がかかり、測定ミスを起こして誤った円筒錠を特定してしまう虞があった。
【０００６】
また、持ち込まれたラッチ部品を基にバックセットを測定する場合も、ラッチ部品を含めた円筒錠の中心線までの寸法を測らなければ該当する円筒錠を特定することができない。
【０００７】
そこで、従来では、円筒錠本体（レトラクターケース）をわざわざ持ってきてラッチ部品を取り付けたり、円筒錠本体の寸法を想定し乍ら定規やメジャーをあてがってバックセットを測定しているため、同様にバックセットの測定に時間がかかったり、測定ミスを起こしてしまう虞があった。
【０００８】
本考案は斯かる実情に鑑み案出されたもので、顧客等からの錠前購入依頼や錠前交換依頼に於て、ラッチ部品から円筒錠を素早く確実に特定することのできる円筒錠ラッチの測定治具を提供することを目的とする。
【課題を解決するための手段】
【０００９】
斯かる目的を達成するため、請求項１に係る円筒錠ラッチの測定治具は、板材の表面上に置いた円筒錠のラッチ部品のフロント板の一側部が挿入可能な切り込みを該板材に形成し、該切り込みを共通のフロント板として、複数種のラッチ部品の外形形状を板材の表面に表示すると共に、表示した各ラッチ部品の外形形状毎に、各ラッチ部品を装着する円筒錠のバックセットを表示したことを特徴とする。
【００１０】
そして、請求項２に係る考案は、請求項１に記載の円筒錠ラッチの測定治具に於て、前記板材の表面に、トリガーボルトを有するラッチ部品のフロント板の正面デザインと、トリガーボルトを有しないラッチ部品のフロント板の正面デザインを並列表示したことを特徴とする。
【考案の効果】
【００１１】
請求項１に係る考案によれば、定規やメジャーを用いることなく、ラッチ部品のフロント板を切り込みの一端に当接させ乍ら、該ラッチ部品を測定治具上に置くだけで、該ラッチ部品を使用する円筒錠のバックセットを簡単且つ正確に素早く特定することができ、錠前購入の依頼や錠前交換の依頼をした一般ユーザーや顧客に適確な円筒錠を提供することができる利点を有する。
【００１２】
そして、請求項２に係る考案によれば、フロント板の正面デザインから従前の円筒錠がトリガー有かトリガー無かが確認できるため、円筒錠の選定の間違いを防止することが可能である。
【考案を実施するための最良の形態】
【００１３】
以下、本考案の実施形態を図面に基づいて詳細に説明する。
【００１４】
図１は請求項１及び請求項２の一実施形態に係る円筒錠ラッチの測定治具を示し、図中、１は一例として縦１４５ｍｍ、横２３０ｍｍ、厚さ３ｍｍに形成された黒のアクリル板（板材）で、その左側下方の角部３の近傍に、細長い切り込み５が上下方向に形成されている。
【００１５】
前記切り込み５は、アクリル板１上に置いた円筒錠のラッチ部品のフロント板の一側部を挿入させるために設けたもので、従来、ラッチ部品は機能と円筒錠のバックセット（以下、「Ｂ／Ｓ」という）の寸法に応じて十数種類あるが、何れもフロント板の寸法を共通にしている。
【００１６】
図２（ａ）〜（ｆ）はラッチ部品の一例を示し、夫々、Ｂ／Ｓ５０（ｍｍ）、Ｂ／Ｓ６０（ｍｍ）、Ｂ／Ｓ６４（ｍｍ）、Ｂ／Ｓ７０（ｍｍ）、Ｂ／Ｓ８９（ｍｍ）、Ｂ／Ｓ１２７（ｍｍ）の円筒錠に用いるラッチ部品７，９，１１，１３，１５，１７の側面図である。
【００１７】
図２（ａ）のラッチ部品７を基にその構造を説明すると、従来周知のようにラッチ部品７は、バネやラッチバー１９ａ，ラッチボルト２１ａ，トリガーボルト等によって構成されたラッチ胴２３ａをフロント裏板に差し込み、該フロント裏板とフロント板２５をカシメることで、ラッチ胴２３ａがフロント板２５に固定された構造となっている。
【００１８】
また、バックセットが短いラッチ部品は、フロント裏板とラッチ胴が一体型にプレスされた状態で製造され、フロント板に該フロント裏板をカシメて固定されている。
【００１９】
そして、円筒錠本体（レトラクターケース）内のレトラクターに、ラッチ胴２３ａの先端から突出するフォーク２７ａとラッチバー１９ａをかみ合わせると、円筒錠のノブ（握玉）を左または右に回すことでレトラクターと該レトラクターにかみ合わせたラッチバー１９ａが円筒錠本体内に引き込まれ、ラッチボルト２１ａとトリガーボルトがラッチ胴２３ａに収納されて扉を開けることが可能になる。
【００２０】
而して、ラッチ部品７の前記構造は、図２（ｂ）〜（ｆ）に示すその他のラッチ部品９，１１，１３，１５，１７にも共通し、円筒錠本体から取り外した場合、図示するように各ラッチ胴２３ｂ〜２３ｆやラッチボルト２１ｂ〜２１ｆ等はＢ／Ｓ毎に長さを異にするものの、ラッチ胴２３ｂ〜２３ｆの外径は前記ラッチ胴２３ａと同一寸法であり、各ラッチ胴２３ｂ〜２３ｆの先端から突出するフォーク２７ｂ〜２７ｆやラッチバー１９ｂ〜１９ｆの形状も同一である。
【００２１】
更に、既述したようにラッチ部品７，９，１１，１３，１５，１７のフロント板２５は寸法を同じくし、各フロント板２５から突出するラッチボルト２１ｂ〜２１ｆの形状や寸法も前記ラッチボルト２１ａと同一である。
【００２２】
そこで、図１に示すように本実施形態に係る測定治具２９は、アクリル板１の表面に、前記切り込み５を共通するフロント板にして、各ラッチ部品７，９，１１，１３，１５，１７の図２に示す側面視外形形状（以下、単に「外形形状」という）のデザインを表示したもので、外径を同じくするラッチ胴２３ａ〜２３ｆの外形形状２３Ａ〜２３Ｆは同軸上に表示してある。  そして、これらを表示するため、一例として本実施形態は黒のアクリル板１の表面に白でシルク印刷する方法を用いている。
【００２３】
以下、表示されたデザインを説明すると、先ず、
(1)ラッチ部品７のフロント板２５の一側部を切り込み５内に挿入し、該フロント板２５の表面を切り込み５の左側一端３１に当接させ乍ら、該ラッチ部品７をアクリル板１上に置いたときのラッチ胴２３ａの外形形状２３Ａとラッチボルト２１ａの外形形状２１Ａ、そして、ラッチバー１９ａと２本のフォーク２７ａの外形形状１９Ａ，２７Ａがアクリル板１の表面に表示してある。
【００２４】
同様に、
(2)ラッチ部品９のフロント板２５の表面を切り込み５の左側一端３１に当接させ乍ら、該ラッチ部品９をアクリル板１上に置いたときのラッチ胴２３ｂの外形形状２３Ｂと、ラッチバー１９ｂ及び２本のフォーク２７ｂの外形形状１９Ｂ，２７Ｂがアクリル板１の表面に表示してある。
【００２５】
尚、既述したように切り込み５を共通するフロント板にして、ラッチ胴２３ｂの外形形状２３Ｂはラッチ胴２３ａの外形形状２３Ａと同軸上に表示されている。
【００２６】
以下、同様に、
(3)ラッチ部品１１，１３，１５，１７のフロント板２５の表面を切り込み５の左側一端３１に当接させ乍ら、各ラッチ部品１１，１３，１５，１７をアクリル板１上に置いたときのラッチ胴２３ｃ〜２３ｆの外形形状２３Ｃ〜２３Ｆと、ラッチバー１９ｃ〜１９ｆ及び２本のフォーク２７ｃ〜２７ｆの外形形状１９Ｃ〜１９Ｆ，２７Ｃ〜２７Ｆがアクリル板１の表面に表示してあり、図示するように各ラッチ胴２３ｃ〜２３ｆの外形形状２３Ｃ〜２３Ｆは、前記ラッチ胴２３ａ，２３ｂの外形形状２３Ａ，２３Ｂと同軸上に表示されている。
【００２７】
更に、図１に示すように、前記左側一端３１に沿ってアクリル板１の上方へ１本の基準線３３が一点鎖線で表示されると共に、前記フォーク２７ａ〜２７ｆの外形形状２７Ｃ〜２７Ｆの端部から、前記基準線３３と平行に６本の引出し線３５Ａ〜３５Ｆが一点鎖線で表示されている。
【００２８】
そして、前記基準線３３から各引出し線３５Ａ〜３５Ｆに向かって、これと直交する６本の矢印線３７Ａ〜３７Ｆが等間隔で表示されると共に、下側の矢印線３７Ａから上方への矢印線３７Ｆへと、表示した各外形形状のラッチ部品７，９，１１，１３，１５，１７を使用（装着）する円筒錠のＢ／Ｓ（ｍｍ）が、具体的に「Ｂ／Ｓ５０」，「Ｂ／Ｓ６０」，「Ｂ／Ｓ６４」，「Ｂ／Ｓ７０」，「Ｂ／Ｓ８９」，「Ｂ／Ｓ１２７」として順次表示されている。
【００２９】
従って、例えば或るラッチ部品のフロント板の表面を測定治具２９（アクリル板１）の切り込み５の左側一端３１に当接させ乍ら、該ラッチ部品を測定治具２９上に置いたときに、該ラッチ部品のフォークの端部が前記外形形状２７Ｅの端部と一致すると、該端部から延びる引出し線３５Ｅと直交する矢印線３７Ｅ上に表示された「Ｂ／Ｓ８９」が、該ラッチ部品を使用する円筒錠のＢ／Ｓとして特定できることとなる。
【００３０】
また、図１に示すように測定治具２９には、既述した表示に加え、円筒錠の機能を特定するため、トリガーボルトを有するラッチ部品のフロント板の正面デザイン３９とその表示「トリガー有」４１、及びトリガーボルトを有しないラッチ部品のフロント板の正面デザイン４３とその表示「トリガー無」４５を並列表示することで、円筒錠選定の間違いを防止している。
【００３１】
その他、図１中、４７はアクリル板１の表面上に表示された測定治具２９の商品名で、既述したようにこれらの表示も、アクリル板１の表面に白でシルク印刷している。
【００３２】
本実施形態はこのように構成されているから、一般ユーザーや顧客から錠前購入の依頼や錠前交換の依頼があって円筒錠を特定する場合、今まで使用していた円筒錠のラッチ部品のフロント板の表面を測定治具２９の切り込み５の左側一端３１に当接させ乍ら、該ラッチ部品を測定治具２９上に置けばよい。
【００３３】
そして、例えば、該ラッチ部品のフォークの端部が前記外形形状２７Ｅの端部と一致するならば、該端部から延びる引出し線３５Ｅと直交する矢印線３７Ｅ上に表示された「Ｂ／Ｓ８９」が、該ラッチ部品を使用していた従前の円筒錠のＢ／Ｓとして特定できることとなる。
【００３４】
また、測定治具２９上に表示したフロント板の正面デザイン３９，４３から、従前の円筒錠がトリガー有かトリガー無かが確認できる。
【００３５】
このように本実施形態に係る測定治具２９によれば、定規やメジャーを用いることなく、ラッチ部品のフロント板を切り込み５の左側一端３１に当接させ乍ら、該ラッチ部品を測定治具２９上に置くだけで、該ラッチ部品を使用する円筒錠のＢ／Ｓを簡単且つ正確に素早く特定することができ、錠前購入の依頼や錠前交換の依頼をした一般ユーザーや顧客に適確な円筒錠を提供することができる利点を有する。
【００３６】
また、既述したようにフロント板の正面デザイン３９，４３から従前の円筒錠がトリガー有かトリガー無かが確認できるため、円筒錠の選定の間違いを防止することも可能である。
【図面の簡単な説明】
【００３７】
【図１】請求項１及び請求項２の一実施形態に係る測定治具の平面図である。
【図２】従来の６種類のラッチ部品の側面図である。
【符号の説明】
【００３８】
１  アクリル板（板材）
５  切り込み
７，９，１１，１３，１５，１７  ラッチ部品
１９ａ，１９ｂ，１９ｃ，１９ｄ，１９ｅ，１９ｆ  ラッチバー
１９Ａ，１９Ｂ，１９Ｃ，１９Ｄ，１９Ｅ，１９Ｆ  ラッチバーの外形形状の表示
２１ａ，２１ｂ，２１ｃ，２１ｄ，２１ｅ，２１ｆ  ラッチボルト
２１Ａ  ラッチボルトの外形形状の表示
２３ａ，２３ｂ，２３ｃ，２３ｄ，２３ｅ，２３ｆ  ラッチ胴
２３Ａ，２３Ｂ，２３Ｃ，２３Ｄ，２３Ｅ，２３Ｆ  ラッチ胴の外形形状の表示
２５  フロント板
２７ａ，２７ｂ，２７ｃ，２７ｄ，２７ｅ，２７ｆ  フォーク
２７Ａ，２７Ｂ，２７Ｃ，２７Ｄ，２７Ｅ，２７Ｆ  フォークの外形形状の表示
２９  測定治具
３３  基準線
３５Ａ，３５Ｂ，３５Ｃ，３５Ｄ，３５Ｅ，３５Ｆ  引出し線
３７Ａ，３７Ｂ，３７Ｃ，３７Ｄ，３７Ｅ，３７Ｆ  矢印線
３９，４３  フロント板の表面の表示
【図１】
0003143178.tif 000003
【図２】
0003143178.tif 000004